(57)【要約】【課題】かご内が無人であることを確実に検出し、乗客に紫外線を照射することなく、かご内を殺菌することができるエレベーター装置を得る。【解決手段】エレベーターのかご１に設けられた殺菌灯４と、殺菌灯４の点灯及び消灯制御を行う殺菌灯制御手段１１と、エレベーターが全自動運転であることを検出する検出手段７と、かご１の無方向戸閉待機状態が所定時間継続したことを検出する検出手段８と、を備える。そして、殺菌灯制御手段１１は、常時は殺菌灯４を消灯し、検出手段７によってエレベーターが全自動運転であることが検出され、且つ、検出手段８によってかご１の無方向戸閉待機状態が所定時間継続したことが検出された場合に、殺菌灯４を点灯させる。【選択図】図１
2010163231.tif 000002
【特許請求の範囲】
【請求項１】
エレベーターのかごに設けられた殺菌灯と、
前記殺菌灯の点灯及び消灯制御を行う殺菌灯制御手段と、
エレベーターが全自動運転であることを検出する第１検出手段と、
前記かごの無方向戸閉待機状態が所定時間継続したことを検出する第２検出手段と、
を備え、
殺菌灯制御手段は、常時は前記殺菌灯を消灯し、前記第１検出手段によってエレベーターが全自動運転であることが検出され、且つ、前記第２検出手段によって前記かごの無方向戸閉待機状態が所定時間継続したことが検出された場合に、前記殺菌灯を点灯させることを特徴とするエレベーター装置。
【請求項２】
かごに設けられた殺菌灯の入切スイッチと、
前記入切スイッチの入切の設定を検出する第３検出手段と、
を備え、
殺菌灯制御手段は、前記第３検出手段によって前記入切スイッチが切側に設定されていることが検出された場合に、前記殺菌灯を消灯させることを特徴とする請求項１に記載のエレベーター装置。
【請求項３】
殺菌灯が点灯してから所定時間が経過したことを検出する第４検出手段と、
を備え、
殺菌灯制御手段は、前記第４検出手段によって前記殺菌灯が点灯してから所定時間が経過したことが検出された場合に、前記殺菌灯を消灯させることを特徴とする請求項１又は請求項２に記載のエレベーター装置。
【請求項４】
所定の操作によって殺菌灯を強制点灯させる点灯スイッチと、
を備え、
殺菌灯制御手段は、前記点灯スイッチに対して前記所定の操作が行われた場合に、第１検出手段及び第２検出手段の検出結果に関わらず、前記殺菌灯を点灯させることを特徴とする請求項１から請求項３の何れかに記載のエレベーター装置。
【発明の詳細な説明】
【技術分野】
【０００１】
この発明は、かご内に殺菌灯が設けられたエレベーター装置に関するものである。
【背景技術】
【０００２】
エレベーターは不特定多数の人が利用し、また、様々な物の運搬にも利用される。このため、エレベーターでは、かご内に病原菌が入り込み、その病原菌がかご内で繁殖してしまう恐れがあった。
【０００３】
特に、病院等の医療施設では、病原菌を保有する患者が頻繁にエレベーターを利用するため、かご内で病原菌が繁殖する可能性が高く、エレベーターが院内感染の一因になる恐れもあった。また、最近では、集合住宅や複合商業施設等、飼主がペットと共にエレベーターを利用することが多くなってきており、ペットの保有する病原菌がかご内に入り込み、かご内で繁殖する可能性もあった。
【０００４】
このような事情に鑑み、かごに殺菌灯を設置し、この殺菌灯から紫外線を照射することによってかご内を殺菌するようにしたエレベーター装置も提案されている（例えば、特許文献１参照）。かかるエレベーター装置では、かごの走行時に殺菌灯を点灯させることにより、走行によってかご内に舞った菌を殺菌するように制御している。
【０００５】
【特許文献１】特開２００５−１２６２２２号公報
【発明の開示】
【発明が解決しようとする課題】
【０００６】
エレベーターの走行中は、かご内に利用者が乗っている可能性が高い。このため、特許文献１に記載のものでは、利用者に対して近距離から紫外線を照射しまう恐れがあった。
【０００７】
なお、特許文献１には、かご内に利用者がいない状態で殺菌灯を点灯させることが公知の方式である旨記載されている。しかし、その記載内容からは、殺菌灯を点灯させる際の具体的条件、即ち、かご内が無人であることをどのようにして知り、殺菌灯を点灯可とするのかを知ることはできなかった。
【０００８】
この発明は、上述のような課題を解決するためになされたもので、その目的は、かご内が無人であることを確実に検出し、乗客に紫外線を照射することなく、かご内を殺菌することができるエレベーター装置を提供することである。
【課題を解決するための手段】
【０００９】
この発明に係るエレベーター装置は、エレベーターのかごに設けられた殺菌灯と、殺菌灯の点灯及び消灯制御を行う殺菌灯制御手段と、エレベーターが全自動運転であることを検出する第１検出手段と、かごの無方向戸閉待機状態が所定時間継続したことを検出する第２検出手段と、を備え、殺菌灯制御手段は、常時は殺菌灯を消灯し、第１検出手段によってエレベーターが全自動運転であることが検出され、且つ、第２検出手段によってかごの無方向戸閉待機状態が所定時間継続したことが検出された場合に、殺菌灯を点灯させるものである。
【発明の効果】
【００１０】
この発明によれば、かご内が無人であることを確実に検出し、乗客に紫外線を照射することなく、かご内を殺菌することができるようになる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベーター装置を示す構成図、図２はこの発明の実施の形態１におけるエレベーター装置の動作を示すフローチャートである。
図１において、１はエレベーター昇降路内を昇降するかご、２はエレベーターの機械室や上記昇降路内等に設置されたエレベーター制御盤、３は制御盤２に備えられた制御装置である。乗客が移動の際に乗る上記かご１には、その天井部等に殺菌灯４が設置されている。この殺菌灯４は、かご１の乗車スペースや床面、壁面等に対して紫外線を照射する機能を有している。即ち、殺菌灯４は、かご１内に入り込んだ病原菌を殺菌するために備えられたものである。
【００１３】
また、５はかご１内に設置されたかご操作盤、６はかご操作盤５に備えられた殺菌灯４の入切スイッチである。かご操作盤５は、図示が省略されているが、行先釦や戸開閉釦が備えられており、乗客によってそれらの釦が押されることにより、行先情報や戸開閉情報を制御装置３に対して出力する。また、入切スイッチ６は、手動操作によって殺菌灯４を点灯可能状態に設定したり、消灯させたりするものである。即ち、入切スイッチ６が「入」側に設定されていれば殺菌灯４が点灯可能状態となり、「切」側に設定されていれば殺菌灯４は消灯する。
【００１４】
上記殺菌灯４の点灯及び消灯制御は、制御装置３によって行われる。具体的に、殺菌灯４を制御するため、制御装置３には、検出手段７乃至１０と、殺菌灯制御手段１１とが備えられている。
検出手段７は、エレベーターが全自動運転であることを検出する機能を有している。ここで、全自動運転とは、乗場呼びやかご呼び等に基づいて乗客を目的階まで運搬する一般的な運転のことをいう。なお、エレベーターの運転には、上記全自動運転の他、例えば、エレベーターの保守時に行われる保守運転やエレベーターの据付時に行われる据付運転、地震発生直後に行われる地震時管制運転等が存在する。
【００１５】
検出手段８は、かご１の無方向戸閉待機状態が所定時間（例えば、３分）継続したことを検出する機能を有している。ここで、無方向戸閉待機状態とは、かご１が戸閉して停止したまま呼びを待機している状態のことをいう。即ち、乗場釦（図示せず）やかご操作盤５の行先釦が押されてかご１が走行を開始したり、かご操作盤５の戸開釦が押されて戸開動作が行われたりすることにより、かご１の無方向戸閉待機状態は解除される。
【００１６】
検出手段９は、かご１内に設けられた上記入切スイッチ６の入切の設定を検出する機能を有している。即ち、検出手段９は、上記入切スイッチ６からの入力信号に基づき、入切スイッチ６が現在「入」側に設定されているのか、「切」側に設定されているのかを判定する。
【００１７】
検出手段１０は、殺菌灯４が点灯してから所定時間（例えば、１時間）が経過したこと、即ち、殺菌灯４の１回の点灯継続時間が上記所定時間を超えたことを検出する機能を有している。
そして、殺菌灯制御手段１１は、各検出手段７乃至１０の検出結果に基づき、殺菌灯４の点灯及び消灯を制御する。以下に、殺菌灯制御手段１１の具体的な動作について説明する。
【００１８】
殺菌灯制御手段１１は、図２に示す動作フローに基づき、殺菌灯４の点灯及び消灯を制御する。具体的に、殺菌灯制御手段１１は、先ず、検出手段７の検出結果からエレベーターが全自動運転であるか否かを判定する（Ｓ１０１）。そして、エレベーターが全自動運転ではない他の運転を行っている場合は、殺菌灯４を消灯させる（Ｓ１０２）。
【００１９】
Ｓ１０１においてエレベーターが全自動運転である旨の判定が行われた場合、次に、殺菌灯制御手段１１は、検出手段８の検出結果に基づき、かご１の無方向戸閉待機状態が所定時間継続したか否かを判定する（Ｓ１０３）。そして、かご１の無方向戸閉待機状態が所定時間継続していない場合は、Ｓ１０２に進んで殺菌灯４を消灯させる。
【００２０】
Ｓ１０３においてかご１の無方向戸閉待機状態が所定時間継続した旨の判定が行われた場合、次に、殺菌灯制御手段１１は、検出手段９の検出結果に基づき、入切スイッチ６が「入」側に設定されているか否かを判定する（Ｓ１０４）。そして、入切スイッチ６が「切」側に設定されている場合は、Ｓ１０２に進んで殺菌灯４を消灯させる。
【００２１】
Ｓ１０４において入切スイッチ６が「入」側に設定されている旨の判定が行われた場合、次に、殺菌灯制御手段１１は、検出手段１０の検出結果に基づき、殺菌灯４が点灯してから所定時間が経過したか否かを判定する（Ｓ１０５）。そして、殺菌灯４が点灯してから所定時間が経過した場合は、Ｓ１０２に進んで殺菌灯４を消灯させる。なお、Ｓ１０４の判断時に殺菌灯４が点灯していない場合、或いは、殺菌灯４が点灯しているが点灯を開始してから所定時間経過していない場合、殺菌灯制御手段１１は、殺菌灯４を点灯させる、或いは点灯を継続させる（Ｓ１０６）。即ち、殺菌灯制御手段１１は、上記Ｓ１０１、Ｓ１０３乃至Ｓ１０５の全ての条件に該当する場合に、殺菌灯４を点灯させて、かご１内を殺菌する。
【００２２】
そして、殺菌灯制御手段１１は、図２に示す動作フローを定期的に実施する。このため、殺菌灯４の点灯が一旦開始されても、上記Ｓ１０１、Ｓ１０３乃至Ｓ１０５の何れかの条件に該当しなくなった場合に、殺菌灯４は消灯される。
【００２３】
この発明の実施の形態１によれば、かご１内が無人であることを確実に検出でき、乗客に紫外線を照射することなく、かご１内を殺菌して清潔に保つことができるようになる。即ち、殺菌灯制御手段１１は、エレベーターの自動運転中、エレベーターの利用が所定時間発生しなかった場合に、殺菌灯４を点灯させるため、乗客の目や皮膚等に紫外線が照射されることもなく、例えかご１内に病原菌が入り込んだとしても、その繁殖を予防することができる。
【００２４】
更に、入切スイッチ６の設定を殺菌灯４の点灯条件に加えることにより、簡単な操作によって殺菌灯４の使用を制限することができるようになる。また、検出手段１０の検出結果を殺菌灯４の点灯条件に加えることにより、殺菌灯４の１回の点灯時間を、エレベーターの設置現場等に合わせて適宜設定することが可能となる。
【００２５】
なお、エレベーターの定期点検中等にかご１内の殺菌を行うため、かご１上等に、所定の操作によって殺菌灯４を強制点灯させる点灯スイッチ（図示せず）を設置しておいても良い。かかる場合、殺菌灯制御手段１１は、例えば、検出手段７及び８の検出結果に関わらず、上記点灯スイッチに対して点灯のための所定の操作が行われると、殺菌灯４を点灯させるように動作する。
【図面の簡単な説明】
【００２６】
【図１】この発明の実施の形態１におけるエレベーター装置を示す構成図である。
【図２】この発明の実施の形態１におけるエレベーター装置の動作を示すフローチャートである。
【符号の説明】
【００２７】
１  かご
２  制御盤
３  制御装置
４  殺菌灯
５  かご操作盤
６  入切スイッチ
７、８、９、１０  検出手段
１１  殺菌灯制御手段
【図１】
2010163231.tif 000003
【図２】
2010163231.tif 000004